(57)【要約】【課題】カバーの品種を増やすことなく電線の引き出し方向の多様化を図る。【解決手段】ハウジング１０には、電線Ｗに接続された端子金具が収容されるとともに、引き出された電線Ｗを取り囲むカバー２０が取り付けられる。カバー２０は、ハウジング１０に固定的に取り付けられる固定カバー体２１と、固定カバー体２１に対してハウジング１０側とは反対側から取り付けられる可動カバー体２２とから構成される。固定カバー体２１には、外周面３６に球面を含む球状受け部２４が設けられている。可動カバー体２２には、球状受け部２４に外側から嵌め付けられることで、球状受け部２４に対してハウジング１０の軸線周りに相対的に回動可能とされ、且つ球状受け部２４に対してハウジング１０の軸線と直交する回動軸周りに相対的に回動するのを許容する切り欠き４９を有する回動保持部３８が設けられている。【選択図】図４
2008052918.tif 000002
【特許請求の範囲】
【請求項１】
電線に接続された端子金具が収容されるコネクタハウジングには、このコネクタハウジングから引き出された前記電線を取り囲むカバーが取り付けられるものであって、
前記コネクタハウジングと前記カバーとの一方側に設けられ、外周面に球面を含む球状受け部と、
前記コネクタハウジングと前記カバーとの他方側に設けられ、前記球状受け部に外側から嵌め付けられることで、前記球状受け部に対して前記コネクタハウジングの軸線周りに相対的に回動可能とされ、且つ前記球状受け部に対して前記コネクタハウジングの軸線と直交する回動軸周りに相対的に回動するのを許容する切り欠きを有する回動保持部とを備えることを特徴とするカバー付きコネクタ。
【請求項２】
前記球状受け部が前記コネクタハウジング側に設けられ、前記回動保持部が前記カバー側に設けられていることを特徴とする請求項１記載のカバー付きコネクタ。
【請求項３】
前記回動保持部は、前記切り欠きを複数有するとともに、各切り欠きによって分割された複数の片部を有しており、
前記カバーは、前記コネクタハウジングの軸線に沿って分割された一対の半割部品により構成され、両半割部品にそれぞれ前記片部が設けられていることを特徴とする請求項２記載のカバー付きコネクタ。
【請求項４】
前記カバーは、前記コネクタハウジングに対して固定的に取り付けられる固定カバー体と、この固定カバー体に対して前記コネクタハウジング側とは反対側に取り付けられる可動カバー体とから構成され、前記固定カバー体と前記可動カバー体とのいずれか一方側に前記球状受け部が、他方側に前記回動保持部が設けられていることを特徴とする請求項１ないし請求項３のいずれかに記載のカバー付きコネクタ。
【請求項５】
前記回動保持部は、前記切り欠きが略１８０度の角度間隔を空けた２位置に配置される対称形状とされていることを特徴とする請求項１ないし請求項４のいずれかに記載のカバー付きコネクタ。
【請求項６】
前記コネクタハウジングまたは前記カバーには、前記コネクタハウジングに対してその軸線と直交する回動軸周りに前記カバーを相対的に回動させたときに、前記回動保持部と前記球状受け部との間に隙間が生じる手前の段階でその回動を規制可能なストッパ部が設けられていることを特徴とする請求項１ないし請求項５のいずれかに記載のカバー付きコネクタ。
【請求項７】
前記カバーは、前記コネクタハウジングの軸線に沿って分割されるとともに、互いに同一形状とされた一対の半割部品により構成されていることを特徴とする請求項１ないし請求項６のいずれかに記載のカバー付きコネクタ。
【請求項８】
前記カバーには、カバーからさらに引き出された前記電線を取り囲み、可撓性を有するコルゲートチューブの端部を保持可能なコルゲート保持部が設けられていることを特徴とする請求項１ないし請求項７のいずれかに記載のカバー付きコネクタ。
【発明の詳細な説明】
【技術分野】
【０００１】
本発明は、カバー付きコネクタに関する。
【背景技術】
【０００２】
自動車に用いられるワイヤハーネスにおいて、電線の端末に設けられたコネクタの一種として、電線に接続した端子金具を収容するコネクタハウジング（以下、単にハウジングという）と、ハウジングの後部に装着されるとともにハウジングの後面から引き出された電線を取り囲むカバーとを有する、いわゆるカバー付きコネクタが知られており、その一例が下記特許文献１に記載されている。
【特許文献１】特開平１０−２７６４５号公報
【発明の開示】
【発明が解決しようとする課題】
【０００３】
従来のカバー付きコネクタにおけるカバーは、電線の引き出し方向を所定方向に規定しているため、ハウジングの取付場所や取付姿勢に応じて電線の引き出し方向を変更する必要が生じた場合には、その引き出し方向に適合したカバーを用意しなければならない。このようにハウジングからの電線の引き出し方向毎にカバーを製造していたのでは、カバーの製造に必要な成形金型が多数必要となるのは勿論のこと、多品種となったカバーの在庫管理なども煩雑になり、結果としてコスト高などを招くおそれがあった。
【０００４】
本発明は上記のような事情に基づいて完成されたものであって、カバーの品種を増やすことなく電線の引き出し方向の多様化を図ることを目的とする。
【課題を解決するための手段】
【０００５】
本発明は、電線に接続された端子金具が収容されるコネクタハウジングには、このコネクタハウジングから引き出された前記電線を取り囲むカバーが取り付けられるものであって、前記コネクタハウジングと前記カバーとの一方側に設けられ、外周面に球面を含む球状受け部と、前記コネクタハウジングと前記カバーとの他方側に設けられ、前記球状受け部に外側から嵌め付けられることで、前記球状受け部に対して前記コネクタハウジングの軸線周りに相対的に回動可能とされ、且つ前記球状受け部に対して前記コネクタハウジングの軸線と直交する回動軸周りに相対的に回動するのを許容する切り欠きを有する回動保持部とを備える。
【０００６】
このようにすると、外周面に球面を含む球状受け部の外側に嵌め付けた回動保持部を、コネクタハウジングの軸線周りに回動させるとともに、切り欠きによってコネクタハウジングの軸線と直交する回動軸周りに回動させることで、コネクタハウジングに対してカバーを相対的に同方向へ回動させることができる。これにより、電線の引き出し方向を三次元的に変更することができる。仮に電線の引き出し方向毎に専用のカバーを製造した場合と比較すると、製造に必要な成型金型の品種を削減できるとともに部品の在庫管理などが容易になり、低コスト化を図ることができる。
【０００７】
本発明の実施態様として、次の構成が好ましい。
（１）前記球状受け部が前記コネクタハウジング側に設けられ、前記回動保持部が前記カバー側に設けられている構成とする。このようにすれば、コネクタハウジングの姿勢が固定される場合であっても、その球状受け部に対してカバー側の回動保持部が相対的に回動されることで、電線の引き出し方向の自由度を十分に確保することができる。
【０００８】
（２）前記回動保持部は、前記切り欠きを複数有するとともに、各切り欠きによって分割された複数の片部を有しており、前記カバーは、前記コネクタハウジングの軸線に沿って分割された一対の半割部品により構成され、両半割部品にそれぞれ前記片部が設けられている構成とする。これにより、片部を球状受け部の外側に宛いつつカバーの半割部品同士を組み付けることで、球状受け部の外側に回動保持部を容易に嵌め付けることができ、組み付け作業性に優れる。
【０００９】
（３）前記カバーは、前記コネクタハウジングに対して固定的に取り付けられる固定カバー体と、この固定カバー体に対して前記コネクタハウジング側とは反対側に取り付けられる可動カバー体とから構成され、前記固定カバー体と前記可動カバー体とのいずれか一方側に前記球状受け部が、他方側に前記回動保持部が設けられている構成とする。これにより、コネクタハウジング側の固定カバー体に対し、可動カバー体をコネクタハウジングの軸線周り方向及び同軸線と直交する回動軸周り方向に相対的に回動させることで、電線の引き出し方向を三次元的に変更することができる。球状受け部または回動保持部を備えた固定カバー体をコネクタハウジングに取り付ける前の段階で、端子金具をコネクタハウジングに収容することができるので、端子金具の収容作業を容易に行うことができる。
【００１０】
（４）前記回動保持部は、前記切り欠きが略１８０度の角度間隔を空けた２位置に配置される対称形状とされている構成とする。これにより、コネクタハウジングの軸線と直交する回動軸周りにカバーを相対的に回動させる際に、回動軸を挟んだどちら側へも容易に回動させることができる。
【００１１】
（５）前記コネクタハウジングまたは前記カバーには、前記コネクタハウジングに対してその軸線と直交する回動軸周りに前記カバーを相対的に回動させたときに、前記回動保持部と前記球状受け部との間に隙間が生じる手前の段階でその回動を規制可能なストッパ部が設けられている構成とする。このようにすれば、ストッパ部によりカバーの回動が規制されることで、回動保持部と球状受け部との間に隙間が生じることがなく、これにより電線が外部に露出される事態が回避されるようになっている。
【００１２】
（６）前記カバーは、前記コネクタハウジングの軸線に沿って分割されるとともに、互いに同一形状とされた一対の半割部品により構成される。これにより、カバーを半割部品により構成することで、コネクタハウジングに対する組み付け作業性を向上させることができる。しかも、両半割部品を同一形状としているので、製造コストを削減できるとともに部品の在庫管理が容易となる。
【００１３】
（７）前記カバーには、カバーからさらに引き出された前記電線を取り囲み、可撓性を有するコルゲートチューブの端部を保持可能なコルゲート保持部が設けられている構成とする。これにより、カバーにコルゲートチューブを保持させることができる。
【発明の効果】
【００１４】
本発明によれば、カバーの品種を増やすことなく電線の引き出し方向の多様化を図ることができる。
【発明を実施するための最良の形態】
【００１５】
＜実施形態１＞
本発明の実施形態１を図１〜図１９によって説明する。この実施形態１では、自動車に用いられるワイヤハーネスを構成する雌型のカバー付きコネクタＣを例示する。なお以下では、カバー付きコネクタＣにおける嵌合面側（図１や図２の左側）を前方とし、その逆側（図１や図２の右側）を後方として説明する。また、上下方向については図２や図４を基準とする。
【００１６】
カバー付きコネクタＣは、図１〜図４に示すように、電線Ｗの端末に接続された端子金具（図示せず）と、端子金具が収容されるコネクタハウジング１０（以下、単にハウジング１０という）と、ハウジング１０の後部に取り付けられてハウジング１０から後方へ引き出された電線Ｗを取り囲むカバー２０とから構成される。カバー２０からさらに後方へ引き出された電線Ｗについては、可撓性を有する合成樹脂製とされて蛇腹状（筒状）に形成されたコルゲートチューブＴによって取り囲まれることで、その保護が図られる。
【００１７】
ハウジング１０は、合成樹脂製とされ、端子金具が収容されるキャビティ（図示せず）を備えた端子収容部１１と、端子収容部１１を取り囲む略角筒状のフード部１２とを連結した構成とされ、端子収容部１１とフード部１２との間に前方から図示しない雄型の相手コネクタが嵌合可能とされる。このハウジング１０の軸線は、前後方向に沿った向きに設定されている。端子収容部１１は、フード部１２よりも少し後方へ突出しており、この突出部分が後述するカバー２０を装着可能なカバー装着部１３となっている。またフード部１２の上壁部には、相手コネクタを嵌合状態に保持するためのロックアーム１４が設けられている。
【００１８】
キャビティは、端子収容部１１を前後に貫通する形態で且つ幅方向に３室（複数）並んで設けられている。キャビティのうち、端子収容部１１の後面に開口する入り口側から端子金具が挿入可能とされる。このキャビティは、前後方向に沿って真っ直ぐな形態とされ、その軸線がハウジング１０の軸線方向と一致している。端子金具は、相手コネクタに備えられた相手端子に対して導通接続可能な端子接続部と、電線Ｗの端部に圧着される電線接続部とを前後に繋げた構成とされ、このうち電線接続部が電線Ｗの被覆の端部に嵌着されたゴム栓Ｇにかしめ付けられている。なお、ゴム栓Ｇは端子収容部１１（ハウジング１０）の後端面から少し後方へ突出している。
【００１９】
カバー装着部１３における両外側面には、一対のカバーロック部１５が側方へ突出して設けられている。カバーロック部１５は、カバー装着部１３の後端位置に配され、フード部１２の後端面に対して後方に離間している。カバーロック部１５は、上下方向に沿って細長い略ブロック状に形成されている。カバー装着部１３のうち、カバーロック部１５の上下に隣接する位置には、後方へ開口する形態の凹部１６が一対ずつ設けられている。
【００２０】
続いて、カバー２０について詳細に説明する。カバー２０は、前後２部品に分けられており、ハウジング１０の後側に固定的に取り付けられる固定カバー体２１と、固定カバー体２１の後側（ハウジング１０側とは反対側）に取り付けられる可動カバー体２２とから構成されている。そして、これら固定カバー体２１と可動カバー体２２との接続部分には、ハウジング１０側に固定された固定カバー体２１に対して可動カバー体２２を相対的に回動可能な状態で保持するための回動保持構造が設けられている。
【００２１】
固定カバー体２１は、全体としては内部に電線Ｗを通せるよう略筒状をなしており、ハウジング１０の後端のカバー装着部１３に装着されてその後側の空間を取り囲む固定カバー本体部２３と、上記回動保持構造を構成するものであって後側から可動カバー体２２が取り付けられる球状受け部２４とを前後に繋げた構成とされる。固定カバー体２１は、固定カバー体２１を幅方向中央位置にて前後方向に沿って分割した一対の半割固定カバー体２５同士を組み付けてなる。両半割固定カバー体２５は、互いに同一形状とされ、半割した固定カバー本体部２３と球状受け部２４とを前後に繋げた構成とされる。
【００２２】
固定カバー本体部２３は、図３，図４，図７，及び図８に示すように、ハウジング１０の後端面から引き出された電線Ｗの周りを取り囲む角筒状をなす周壁２６と、周壁２６の後端部に連結される後壁２７とからなり、後壁２７には、電線Ｗを挿通するための電線挿通孔２８が前後に貫通して設けられている。電線挿通孔２８は断面円形状とされる。周壁２６は、高さ寸法が全長にわたって一定なのに対し、幅寸法が後方に行くに連れて次第に減少する形態とされる。言い換えると、周壁２６内の電線挿通空間は、後方に行くに連れて幅狭になっている。従って、周壁２６のうち幅方向両端に配される両側壁２６ａは、前後方向に対して傾斜している。各半割固定カバー体２５においては、周壁２６は断面「コ」字型をなす。
【００２３】
周壁２６を構成する両側壁２６ａの前端部からは、前方へ突出するロック片２９と、内方へ突出する当接部３０とが設けられている。このうち、当接部３０は、固定カバー体２１の全高にわたる高さを有するとともに、内方への突出寸法が後述する凸部３２よりも大きくなっている。この当接部３０は、ハウジング１０の後端面に当接可能とされることで、固定カバー体２１を前止まりできるようになっている。
【００２４】
ロック片２９は、前後の長さ寸法よりも高さ寸法（固定カバー本体部２３と同じ高さ寸法）の方が大きな片持ち状をなし、幅方向に沿って弾性変形可能とされる。ロック片２９には、ハウジング１０側のカバーロック部１５が嵌合可能なロック孔３１が厚み方向に貫通して形成されている。カバーロック部１５がロック孔３１の孔縁に係止することで、固定カバー体２１がハウジング１０に対して固定される。ロック片２９におけるロック孔３１の上下に隣接する位置には、ハウジング１０側の凹部１６に対して嵌合可能な凸部３２が一対、内方へ突出して設けられている。凸部３２が凹部１６内に嵌合されることで、固定カバー体２１を装着する際におけるロック孔３１とカバーロック部１５との上下の位置合わせが可能とされる。またロック片２９の前端面は、装着時に前に配されるフード部１２の後端面に当接可能とされる。
【００２５】
両半割固定カバー体２５における周壁２６の分割端部には、両半割固定カバー体２５同士を組み付け状態に保持するための保持片３３と保持部３４とが１つずつ設けられている。詳しくは、周壁２６における上下の両分割端部のうち、一方の分割端部の外面には、幅方向に沿って相手の半割固定カバー体２５側に向けて突出する保持片３３が設けられるのに対し、他方の分割端部の外面には、上方または下方へ突出する保持部３４が設けられている。保持片３３には、片持ち状に形成されるとともに、相手の半割固定カバー体２５の保持部３４が進入可能な保持溝３５が保持片３３の基端側に開放して設けられている。保持溝３５の溝縁に保持部３４が係止することで、両半割固定カバー体２５同士が組み付け状態に保持される。
【００２６】
一方、球状受け部２４は、外周面３６が球面とされる球体に、その中心を通るよう孔径が前後で一定な電線挿通孔２８を前後方向に沿って貫通形成することで、前後で厚み寸法が変化する略筒状に形成されている。球状受け部２４は、その厚み寸法が前後方向中央部にて最も大きくなり、そこから前方及び後方へ行くに連れて次第に小さくなり、後端部が最も小さくなっている。言い換えると、球状受け部２４の外周面３６は、前後方向中央部にて最も外側に位置し、そこから前方及び後方へ行くに連れて次第に内側に引っ込み、後端部にて最も内側に位置する。なお、球状受け部２４における後壁２７との連結部分（前端部）については、厚みが再度増加しており、これにより十分な強度が得られるようになっている。球状受け部２４は、断面形状が略弓形をなすとともに、前後方向中央部を中心として前後にほぼ対称な形状とされる。また、球状受け部２４の後端面は、真っ直ぐな面とされている。
【００２７】
球状受け部２４は、固定カバー本体部２３の後壁２７における中央位置に連結され、その最大外径寸法が後壁２７の高さ寸法及び幅寸法よりも小さくなっている。従って、固定カバー本体部２３の後壁２７は、球状受け部２４よりも高さ方向及び幅方向について外側に張り出しており、球状受け部２４との連結部分の周縁部が後述する回動保持部３８に対して干渉することで回動保持部３８の回動動作を規制可能なストッパ部３７とされている。
【００２８】
電線挿通孔２８は、固定カバー本体部２３の後壁２７から連続して形成されており、その内周面が円周面とされる。この電線挿通孔２８に通される３本の電線Ｗは、図１１に示すように、各電線Ｗの軸心が三角形の頂点に位置する、三角形配置となるよう束ねられる。電線挿通孔２８の孔径は、三角形配置とした電線Ｗ群の最外端を通る円の直径よりもやや大きい程度の大きさとされる。球状受け部２４の前後方向の長さ寸法は、電線挿通孔２８の孔径に依存しており、この孔径が大きくなるほど球状受け部２４の前後方向の長さ寸法が短くなる。詳細には、球状受け部２４の前後方向の長さ寸法は、球状受け部２４の直径の二乗から電線挿通孔２８の孔径の二乗を引いた値の平方根となっている。
【００２９】
次に、可動カバー体２２について説明する。可動カバー体２２は、図３，図４，図９，及び図１０に示すように、全体としては内部に電線Ｗを通せるよう略筒状をなしており、上記回動保持構造を構成するものであって固定カバー体２１側の球状受け部２４に対して外側から嵌め付けられる回動保持部３８と、固定カバー体２１の後方にて電線Ｗを取り囲む可動カバー本体部３９とを前後に繋げた構成とされる。可動カバー体２２は、可動カバー体２２を幅方向中央位置にて前後方向に沿って分割した一対の半割可動カバー体４０同士を組み付けてなる。両半割可動カバー体４０は、互いに同一形状とされ、半割した回動保持部３８と可動カバー本体部３９とを前後に繋げた構成とされる。
【００３０】
可動カバー本体部３９は、固定カバー体２１から後方へ引き出された電線Ｗの周りを取り囲む略角筒状をなすとともに前後に開口する電線挿通孔４１を有し、その内周面からは内方へ突出するコルゲート保持部４２が設けられている。可動カバー本体部３９は、外周面が全体として四角形状とされるのに対し、内周面が円周面とされている。コルゲート保持部４２は、断面山形で環状をなすとともに、前後に離間した位置に３つ設けられ、コルゲートチューブＴの外周面に形成された凹部Ｔａに対して嵌合されることで、コルゲートチューブＴを保持可能とされる。
【００３１】
両半割可動カバー体４０における分割端部には、両半割可動カバー体４０同士を組み付け状態に保持するための保持片４３と保持部４４とが１つずつ設けられている。保持溝４５を有する保持片４３及び保持部４４は、固定カバー体２１側のものと同様の構造であるため、重複する説明は割愛する。両半割可動カバー体４０における保持片４３及び保持部４４の配置は、両半割固定カバー体２５における保持片３３及び保持部３４の配置とは逆になっており、両保持片３３，４３の突出方向が逆向きになっている。これにより、カバー２０をハウジング１０に装着した状態でカバー２０をなす各半割カバー体２５，４０を離脱させるような力が作用しても、カバー２０が分解し難くなっている。
【００３２】
一方、回動保持部３８は、可動カバー本体部３９から前方へ突出する略環状（略筒状）の基部４６と、基部４６からさらに前方へ突出する片持ち状をなす一対の片部４７とを備えるとともに、その内周面４８が全域にわたって球状受け部２４の外周面３６に沿う球面となっている。言い換えると、回動保持部３８は、内周面４８が球状受け部２４の外周面３６に沿う球面とされた筒状体の前部側に、周方向について部分的な切り欠き４９を一対形成することで、筒状体の前部側が一対の片部４７に分離されている。
【００３３】
そして、この回動保持部３８は、球状受け部２４に対して外側から嵌め付けられることで、球状受け部２４に対してハウジング１０の軸線周り（図１１に示す矢線方向）に相対的に回動可能とされる。さらには、回動保持部３８は、切り欠き４９が形成されていることによって、球状受け部２４に対してハウジング１０の軸線と直交する回動軸周り（図４に示す矢線方向）にも相対的に回動可能とされる。
【００３４】
詳しくは、回動保持部３８には、略１８０度の角度間隔を空けた位置に一対の切り欠き４９が形成されるとともに、両切り欠き４９の間で略１８０度の角度間隔を空けた位置に一対の片部４７が形成され、これら切り欠き４９と片部４７とは略９０度の角度間隔を空けて互いに隣接して配されている。両切り欠き４９が回動保持部３８における図９に示す上下位置に配されるのに対し、両片部４７は、回動保持部３８における幅方向の両側位置に配されるとともに、可動カバー体２２をなす両半割可動カバー体４０に１つずつ分散して設置されている。このように回動保持部３８は、全体として対称形状とされている。
【００３５】
基部４６は、外形が後方から見て略四角形の環状に形成され、球状受け部２４を全周にわたって覆うことができるようになっている。基部４６は、その幅寸法が前後でほぼ一定であるのに対し（図１）、切り欠き４９によって高さ寸法が前端側にかけて漸減し、側方から見て先窄み状に形成されている（図４）。基部４６は、前端部４６ａの内面が最も外側に引っ込み、そこから後端部４６ｂ側にかけて次第に内面が内側に張り出すような形状とされており、その全域が可動カバー本体部３９の内周面よりも内側に張り出している。
【００３６】
片部４７は、基部４６における幅方向両側部から後方へ突出する片持ち状をなすとともに、切り欠き４９によって先端（前端、突出端）側に行くに連れて幅寸法が次第に減少する先細り状に形成され、側方から見て略山形をなしている（図２）。片部４７は、上下両端面が切り欠き４９によって傾斜面とされるとともにその先端面（前端面）が丸みを帯びた形状とされ（図２）、さらには外側面が内周面４８に沿うような曲面とされている（図１）。片部４７は、前端部４７ａの内面が最も内側に張り出し、そこから後端側にかけて次第に内面が外側へ引っ込むような形状とされている。両片部４７における後端部間の間隔、つまり切り欠き４９の最大幅寸法は、球状受け部２４の最大外径寸法とほぼ等しくなっている（図１）。また片部４７における後端部の幅寸法は、片部４７における前後方向の長さ寸法よりも大きくなっている。
【００３７】
片部４７における前後方向の長さ寸法は、基部４６の同方向の長さ寸法よりも大きく設定されるとともに、球状受け部２４の同方向の長さ寸法のほぼ半分程度とされる。また、このことから基部４６の同方向の長さ寸法は、球状受け部２４の同方向の長さ寸法の半分に満たない大きさとされる。従って、基部４６及び片部４７における内周面４８の前端部（片部４７の前端部４７ａの内面）は、後端部（基部４６の後端部４６ｂの内面）よりも内側に張り出した位置とされる。そして、基部４６及び片部４７の内周面４８における基部４６と片部４７との境界部（基部４６の前端部４６ａの内面）が、球面における頂点位置（最も外側に引っ込んだ位置）と一致している。
【００３８】
球状受け部２４に対して回動保持部３８が取り付けられるとともに、固定カバー体２１の軸線と可動カバー体２２の軸線とが一致した真直な姿勢の状態では、図１〜図４に示すように、球状受け部２４の前後方向中央部に基部４６の前端部４６ａ（片部４７の後端部）が配される。この状態では、球状受け部２４の後半部分のほぼ全域が基部４６及び可動カバー本体部３９によって覆われるのに対し、球状受け部２４の前半部分が片部４７によって部分的に覆われる。この状態では、片部４７の前端部４７ａが、固定カバー本体部２３の後壁２７のすぐ後側に位置するのに対し、基部４６の前端部４６ａは、固定カバー本体部２３の後壁２７との間に切り欠き４９の分の空間を空けた位置に配される。従って、この切り欠き４９の分の空間内に基部４６が進入することで、回動保持部３８が球状受け部２４に対してハウジング１０の軸線と直交する回動軸周りに回動するのが許容されている。このとき、回動保持部３８は、回動軸を挟んだ２方向（図４に示す２つの矢線方向）のいずれへの回動可能とされる。
【００３９】
上記回動軸周りに回動保持部３８が回動する際には、基部４６のうち回動方向前側部分が前進するのに対し、その反対側（略１８０度の角度間隔を空けた）部分が後退する。ここで、球状受け部２４は、可動カバー体２２が真直な姿勢のときに基部４６よりも後方へ突出する長さを有しているから（図３及び図４）、基部４６のうち回動方向前側部分とは反対側部分が後退したときでも、球状受け部２４のうち基部４６から突出した部分によって電線Ｗが保護されるようになっている。
【００４０】
そして、回動保持部３８が球状受け部２４に対して最大限まで回動したところで、基部４６が後壁２７のうちストッパ部３７に対して突き当たることで、それ以上の回動動作が規制可能とされる（図１２や図１３）。この回動規制状態では、基部４６のうちストッパ部３７に干渉した回動方向前側部分とは反対側部分が、球状受け部２４の後端部付近に位置しており、球状受け部２４との間に外部に開口するような隙間が空けられることがない。なお、本実施形態では、回動保持部３８の最大の回動角度が、回動軸を挟んだ２方向のいずれも約４５度程度ずつに設定されている。
【００４１】
一方、片部４７と固定カバー本体部２３の後壁２７との間には僅かな空間しか空けられていないので、ハウジング１０の軸線及び上記回動軸の双方と直交する軸周りの回動保持部３８の回動については規制される。この片部４７は、前端部４７ａ（自由端部）が後端（基端）側よりも内向きに張り出す形態とされるとともに、その内周面４８が球面となっていて全域にわたって球状受け部２４の外周面３６に当接されるようになっている。従って、片部４７の前端部４７ａ側が球状受け部２４のうち、前後方向中央部よりも縮径した前端部に引っ掛かることで、回動保持部３８が球状受け部２４から後方へ抜け止め状態で保持されるようになっている。
【００４２】
本実施形態は以上のような構造であり、続いてその作用を説明する。まず、カバー付きコネクタＣの組み付け作業について説明する。ハウジング１０の後方から電線Ｗの端末に接続した各端子金具をキャビティ内に挿入する作業を行う。全端子金具をハウジング１０内に収容し終えたら、図５及び図６に示すように、固定カバー体２１をハウジング１０のカバー装着部１３に取り付ける作業を行う。
【００４３】
ハウジング１０のカバー装着部１３の両側方から一対の半割固定カバー体２５を挟み付けるようにして取り付けると、各凸部３２が対応する各凹部１６に嵌合することで、半割固定カバー体２５が上下方向について位置合わせされるとともに、カバーロック部１５がロック片２９のロック孔３１内に嵌合することで、組み付けられた固定カバー体２１がハウジング１０から抜け止め状態に保持される。このようにして取り付ければ、取り付け過程でロック片２９を変形させる必要がない。一方、両半割固定カバー体２５同士は、互いの保持片３３の保持溝３５内に保持部３４が進入してその溝縁に係止することで、互いに組付状態から分離不能に保持される。
【００４４】
続いて、可動カバー体２２を固定カバー体２１及びコルゲートチューブＴに対して取り付ける作業を行う。固定カバー体２１の球状受け部２４の両側方から一対の半割可動カバー体４０を挟み付けるようにして取り付けると、図１〜図４に示すように、回動保持部３８を構成する両片部４７が球状受け部２４の外側から宛われるとともに、その前端部４７ａが球状受け部２４の前端部に引っ掛けられる。これにより、可動カバー体２２が固定カバー体２１に対してハウジング１０の軸線周り及びその軸線周りと直交する回動軸周りの双方に回動可能な状態で保持される。その一方で、取り付け時には、電線Ｗを通したコルゲートチューブＴの外周面の凹部Ｔａに対してコルゲート保持部４２が外側から嵌合することで、コルゲートチューブＴが可動カバー体２２に対して抜け止め状態に保持される。また、両半割可動カバー体４０同士は、互いの保持片４３の保持溝４５内に保持部４４が進入してその溝縁に係止することで、互いに組付状態から分離不能に保持される。
【００４５】
なお、上記とは組み付け手順を変更し、端子金具の挿入作業後、可動カバー体２２を固定カバー体２１に対して取り付けるようにし、その後可動カバー体２２を装着した状態の固定カバー体２１をハウジング１０に対して後方から取り付けるようにしても構わない。この場合は、固定カバー体２１の取り付けにあたってロック片２９を弾性変形させる必要が生じる。
【００４６】
上記のようにして組み付けたカバー付きコネクタＣには、図示しない相手コネクタが嵌合接続されることで、ワイヤハーネスの結線がなされる。ここで、車両におけるカバー付きコネクタＣの取付場所や取付姿勢に対応して電線Ｗの引き出し方向を変更する必要が生じた場合には、可動カバー体２２を固定カバー体２１に対して回動させることで簡単に対応することができる。
【００４７】
具体的には、例えばハウジング１０における縦方向（上方または下方）に電線Ｗを引き出す場合には、可動カバー体２２を固定カバー体２１に対してハウジング１０の軸線周りに回動させ、図１〜図４に示すように、両切り欠き４９の向きを上下方向、つまり電線Ｗの引き出し予定方向に、両片部４７の向きを横方向にそれぞれ一致させる。この状態から、可動カバー体２２を固定カバー体２１に対してハウジング１０の軸線と直交する、横方向に沿った回動軸周りに回動させる。このとき、可動カバー体２２を回動軸を挟んで上向きに回動させることで、図１２に示すように、電線Ｗを上斜め方向へ引き出すことができる。一方、可動カバー体２２を回動軸を挟んで下向きに回動させることで、図１３に示すように、電線Ｗを下斜め方向へ引き出すことができる。
【００４８】
ハウジング１０における横方向に電線Ｗを引き出す場合には、可動カバー体２２を固定カバー体２１に対してハウジング１０の軸線周りに回動させ、図１４〜図１７に示すように、両切り欠き４９の向きを横方向、つまり電線Ｗの引き出し予定方向に、両片部４７の向きを上下方向にそれぞれ一致させる。この状態から、可動カバー体２２を固定カバー体２１に対してハウジング１０の軸線と直交する、上下方向に沿った回動軸周りに回動させる。このとき、可動カバー体２２を回動軸を挟んで図１６に示す上側（図１７に示す奥側）に回動させることで、図１８に示すように、電線Ｗを横方向斜め奥側へ引き出すことができる。一方、可動カバー体２２を回動軸を挟んで図１６に示す下側（図１７に示す手前側）に回動させることで、図１９に示すように、電線Ｗを横方向斜め手前側へ引き出すことができる。
【００４９】
このように、固定カバー体２１に対して可動カバー体２２を適宜に回動させることで、電線Ｗの引き出し方向を三次元的に自在に変更することができる。なお、固定カバー体２１に対する可動カバー体２２における、ハウジング１０の軸線周りの回動角度及び同軸線と直交する回動軸周りの回動角度については、図示以外にも自在に変更することができるのは言うまでもない。
【００５０】
ところで、固定カバー体２１に対して可動カバー体２２をハウジング１０の軸線周り方向や同軸線と直交する回動軸周り方向に回動させるにあたり、最大限まで回動させると、図１２，図１３，図１８，及び図１９に示すように、固定カバー体２１側のストッパ部３７に対して可動カバー体２２側の基部４６が突き当たることで、それ以上の回動動作が規制される。この回動規制状態では、常に球状受け部２４の後端部の直後位置に、基部４６におけるストッパ部３７との干渉部分（回動方向前側部分）とは反対側部分が配されることで、カバー２０内の電線Ｗが外部に露出することがない。これにより、可動カバー体２２を最大限回動させた場合でも、電線Ｗを確実に保護することができる。
【００５１】
以上説明したように本実施形態によれば、ハウジング１０側に固定された固定カバー体２１に外周面３６に球面を含む球状受け部２４を設け、可動カバー体２２に球状受け部２４に対して外側から嵌め付けられることで、球状受け部２４に対してハウジング１０の軸線周りに相対的に回動可能とされ、且つ球状受け部２４に対してハウジング１０の軸線と直交する回動軸周りに回動するのを許容する切り欠き４９を有する回動保持部３８を設けるようにしたから、ハウジング１０側に固定した固定カバー体２１に対して可動カバー体２２をハウジング１０の軸線周り方向及び同軸線と直交する回動軸周り方向に自在に回動させることができ、もって電線Ｗの引き出し方向を三次元的に変更することができる。仮に電線Ｗの引き出し方向毎に専用のカバーを製造した場合と比較すると、製造に必要な成型金型の品種を削減できるとともに部品の在庫管理などが容易になり、低コスト化を図ることができる。以上により、カバー２０の品種を増やすことなく電線Ｗの引き出し方向の多様化を図ることができる。
【００５２】
また、球状受け部２４がハウジング１０側に固定される固定カバー体２１に設けられ、回動保持部３８が可動カバー体２２側に設けられているから、ハウジング１０の姿勢が固定される場合であっても、その球状受け部２４に対して可動カバー体２２側の回動保持部３８が相対的に回動されることで、電線Ｗの引き出し方向の自由度を十分に確保することができる。
【００５３】
また、回動保持部３８は、切り欠き４９を複数有するとともに、各切り欠き４９によって分割された複数の片部４７を有しており、可動カバー体２２は、ハウジング１０の軸線に沿って分割された一対の半割可動カバー体４０により構成され、両半割可動カバー体４０にそれぞれ片部４７が設けられているから、片部４７を球状受け部２４の外側に宛いつつ可動カバー体２２の両半割可動カバー体４０同士を組み付けることで、球状受け部２４の外側に回動保持部３８を容易に嵌め付けることができ、組み付け作業性に優れる。
【００５４】
また、カバー２０は、ハウジング１０に対して固定的に取り付けられる固定カバー体２１と、固定カバー体２１に対してハウジング１０側とは反対側から取り付けられる可動カバー体２２とから構成され、固定カバー体２１側に球状受け部２４が、可動カバー体２２側に回動保持部３８が設けられているから、固定カバー体２１をハウジング１０に取り付ける前の段階で、端子金具をハウジング１０に収容することができ、端子金具の収容作業を容易に行うことができる。
【００５５】
また、回動保持部３８は、切り欠き４９が略１８０度の角度間隔を空けた２位置に配置される対称形状とされているから、ハウジング１０の軸線と直交する回動軸周りに可動カバー体２２を相対的に回動させる際に、回動軸を挟んだどちら側へも容易に回動させることができる。
【００５６】
また、ハウジング１０側に固定された固定カバー体２１には、ハウジング１０に対してその軸線と直交する回動軸周りに可動カバー体２２を相対的に回動させたときに、回動保持部３８と球状受け部２４との間に隙間が生じる手前の段階でその回動を規制可能なストッパ部３７が設けられているから、回動保持部３８と球状受け部２４との間に隙間が生じることがなく、これにより電線Ｗが外部に露出する事態が回避される。
【００５７】
また、カバー２０をなす固定カバー体２１及び可動カバー体２２は、それぞれハウジング１０の軸線方向に沿って分割されるとともに、互いに同一形状とされた一対の半割固定カバー体２５及び半割可動カバー体４０により構成されているから、仮に半割しなかった場合には電線Ｗを先通しする必要があるのと比較して、ハウジング１０に対する組み付け作業性を向上させることができる。しかも、製造コストを削減できるとともに部品の在庫管理が容易となる。
【００５８】
また、カバー２０をなす可動カバー体２２には、可動カバー体２２からさらに後方に引き出された電線Ｗを取り囲み、且つ可撓性を有するコルゲートチューブＴの端部を保持可能なコルゲート保持部４２が設けられているから、カバー２０にコルゲートチューブＴを保持させることができる。また、カバー２０及びコルゲートチューブＴによりハウジング１０を簡易的に防水することができる。
【００５９】
＜実施形態２＞
本発明の実施形態２を図２０〜図２４によって説明する。上記した実施形態１では、固定カバー体２１が一対の半割固定カバー体２５からなる場合を示したが、この実施形態２では、固定カバー体２１Ａが一部品からなる場合を示す。なおこの実施形態２では、上記した実施形態１と同様の構造、作用及び効果について重複する説明は省略する。
【００６０】
固定カバー体２１Ａは、図２０〜図２４に示すように、全周にわたって切れ目（分割端）の無い略筒状をなしており、固定カバー本体部２３Ａと球状受け部２４Ａとを前後に連結した構成とされる。固定カバー本体部２３Ａをなす周壁２６Ａのうち両側壁２６ａＡの前端部は、内向きに張り出して形成され、ここが当接部３０Ａとされている。また、両側壁２６ａＡの外面には、当接部３０Ａの張り出し分だけ凹部５０が形成され、これにより両側壁２６ａＡの厚み寸法が一定に保たれている。なお、実施形態１にて示した保持片３３及び保持部３４については、本実施形態では不要なので除去されている。
【００６１】
固定カバー体２１Ａをハウジング１０に取り付ける際には、ハウジング１０のカバー装着部１３に対して両ロック片２９Ａを位置合わせしつつ固定カバー体２１Ａを後方から押し込む。すると、ロック片２９Ａがカバーロック部１５に乗り上げることで一旦弾性変形し、固定カバー体２１Ａが正規深さに達したところで、ロック片２９Ａがカバーロック部１５を乗り越えるとともに弾性復帰する。このとき、カバーロック部１５がロック孔３１Ａ内に進入してその孔縁に係止することで、固定カバー体２１Ａがハウジング１０から抜け止め状態に保持される。なお、上記した固定カバー体２１Ａの取り付け時には、両側壁２６ａＡの凹部５０を操作部として利用することも可能である。
【００６２】
以上説明したように本実施形態によれば、固定カバー体２１Ａを一部品からなる構成としたから、実施形態１のように固定カバー体２１を二分割して二部品とした場合と比較すると、部品管理がさらに容易になる。
【００６３】
＜実施形態３＞
本発明の実施形態３を図２５〜図２９によって説明する。上記した実施形態１では、可動カバー体２２にコルゲートチューブＴを取り付けた場合を示したが、この実施形態３では、可動カバー体２２ＢにコルゲートチューブＴを取り付けない場合を示す。なおこの実施形態３では、上記した実施形態１と同様の構造、作用及び効果について重複する説明は省略する。
【００６４】
可動カバー体２２Ｂは、図２５〜図２９に示すように、実施形態１と比較して可動カバー本体部３９Ｂが長尺な略筒状に形成されている。可動カバー本体部３９Ｂには、保持片４３Ｂ及び保持部４４Ｂが前後に離間した位置に一対ずつ設けられている。可動カバー体２２Ｂは、互いに同一形状とされた一対の半割可動カバー体４０Ｂを組み付けてなる。また、可動カバー本体部３９Ｂの内周面における後端位置には、内方へ張り出す環状の張出部５１が形成されている。なお、実施形態１にて示したコルゲート保持部４２については、本実施形態では不要なので除去されている。
【００６５】
本実施形態では、コルゲートチューブＴを取り付けない場合であっても、可動カバー本体部３９Ｂを実施形態１と比較して長尺に形成しているので、球状受け部２４に対して回動保持部３８Ｂを回動させることで屈曲させた電線Ｗの引き出し方向を、可動カバー本体部３９Ｂの長さ寸法分の距離にわたって確定させることができる。
【００６６】
＜他の実施形態＞
本発明は上記記述及び図面によって説明した実施形態に限定されるものではなく、例えば次のような実施形態も本発明の技術的範囲に含まれる。
【００６７】
（１）上記した各実施形態では、回動保持部における切り欠き及び片部が１８０度の角度間隔を空けて一対ずつ設置される場合を示したが、切り欠きや片部の数や位置については適宜に変更可能である。例えば、切り欠き及び片部を１２０度の角度間隔を空けた位置に３つずつ設置したり、切り欠き及び片部を９０度の角度間隔を空けた位置に４つずつ設置したものも本発明に含まれる。また、回動保持部に切り欠きを１つだけ設けるようにしたものも本発明に含まれる。また、切り欠き及び片部を複数設置するにあたり、不等間隔で設置したものも本発明に含まれる。
【００６８】
（２）上記した各実施形態では、球状受け部の外周面が球面により構成される場合を示したが、球状受け部の外周面は、完全な球面である必要はなく、多少歪んでいても構わない。また、球状受け部の外周面の全域が球面である必要はなく、一部に球面以外の面（平面や傾斜面など）が含まれるものも本発明に含まれる。
【００６９】
（３）上記した各実施形態では、球状受け部の内周面を円周面とした場合を示したが、内周面をそれ以外の形状としてもよい。例えば、球状受け部の内周面を、外周面の球面に沿った球面形状とし、球状受け部の厚み寸法をほぼ一定とした構成のものも本発明に含まれる。
【００７０】
（４）上記した各実施形態では、固定カバー体が一対の半割固定カバー体からなる場合を示したが、両半割固定カバー体の分割端同士をヒンジにより連結することで、一部品化したものも本発明に含まれる。可動カバー体についても上記と同様に半割可動カバー体の分割端同士をヒンジにより連結して一部品化してもよい。
【００７１】
（５）上記した各実施形態では、固定カバー体の両半割固定カバー体同士や可動カバー体の両半割可動カバー体同士が同一形状の場合を示したが、必ずしも同一形状である必要はなく、異なる形状としたものも本発明に含まれる。
【００７２】
（６）上記した各実施形態では、固定カバー体側に球状受け部が設けられ、可動カバー体側に回動保持部が設けられた場合を示したが、逆に可動カバー体側に球状受け部を、固定カバー体側に回動保持部を設けるようにしたものも本発明に含まれる。
【００７３】
（７）上記した各実施形態では、カバーが固定カバー体と可動カバー体とから構成される場合を示したが、固定カバー体を省略したものも本発明に含まれる。その場合は、ハウジング側に球状受け部を設けるようにし、この球状受け部に対してカバーに設けた回動保持部を取り付けるようにすればよい。このとき、ハウジング側に回動保持部を、カバー側に球状受け部を設けることも可能である。
【００７４】
（８）上記した各実施形態では、固定カバー体の固定カバー本体部における後壁の一部をストッパ部とした場合を示したが、ストッパ部の形態については適宜に変更可能である。また、ストッパ部を省略することも可能である。
【００７５】
（９）電線の本数については、任意に変更可能である。その場合でも、電線は、球状受け部内においてその中心点を対称点とした対称位置に配置することが好ましい。
【００７６】
（１０）本発明は、雌型のカバー付きコネクタに限らず、雄型のカバー付きコネクタにも勿論適用可能である。また非防水タイプのカバー付きコネクタにも本発明は適用可能である。
【図面の簡単な説明】
【００７７】
【図１】本発明の実施形態１に係るカバー付きコネクタの平面図
【図２】カバー付きコネクタの側面図
【図３】カバー付きコネクタにおけるカバーの平断面図
【図４】カバー付きコネクタにおけるカバーの側断面図
【図５】カバーを分解した状態を示す平面図
【図６】カバーを分解した状態を示す平断面図
【図７】固定カバー体の正面図
【図８】固定カバー体の背面図
【図９】可動カバー体の正面図
【図１０】可動カバー体の背面図
【図１１】図３及び図４のＸ−Ｘ線断面図
【図１２】電線を上向きに引き出した状態を示す側断面図
【図１３】電線を下向きに引き出した状態を示す側断面図
【図１４】可動カバー体を切り欠きが横方向を向く姿勢とした状態を示す平面図
【図１５】可動カバー体を切り欠きが横方向を向く姿勢とした状態を示す側面図
【図１６】可動カバー体を切り欠きが横方向を向く姿勢とした状態を示す平断面図
【図１７】可動カバー体を切り欠きが横方向を向く姿勢とした状態を示す側断面図
【図１８】電線を横方向奥側に引き出した状態を示す平断面図
【図１９】電線を横方向手前側に引き出した状態を示す平断面図
【図２０】本発明の実施形態２に係るカバー付きコネクタのカバーを分解した状態を示す平面図
【図２１】カバーを装着した状態を示す平断面図
【図２２】固定カバー体の正面図
【図２３】固定カバー体の側面図
【図２４】固定カバー体の背面図
【図２５】本発明の実施形態３に係るカバー付きコネクタのカバーを分解した状態を示す平面図
【図２６】カバーを装着した状態を示す平断面図
【図２７】カバーを装着した状態を示す側断面図
【図２８】可動カバー体の正面図
【図２９】可動カバー体の背面図
【符号の説明】
【００７８】
１０…ハウジング（コネクタハウジング）
２０…カバー
２１…固定カバー体
２２…可動カバー体
２４…球状受け部
２５…半割固定カバー体（半割部品）
３６…外周面
３７…ストッパ部
３８…回動保持部
４０…半割可動カバー体（半割部品）
４２…コルゲート保持部
４７…片部
４９…切り欠き
Ｃ…カバー付きコネクタ
Ｔ…コルゲートチューブ
Ｗ…電線
【図１】
2008052918.tif 000003
【図２】
2008052918.tif 000004
【図３】
2008052918.tif 000005
【図４】
2008052918.tif 000006
【図５】
2008052918.tif 000007
【図６】
2008052918.tif 000008
【図７】
2008052918.tif 000009
【図８】
2008052918.tif 000010
【図９】
2008052918.tif 000011
【図１０】
2008052918.tif 000012
【図１１】
2008052918.tif 000013
【図１２】
2008052918.tif 000014
【図１３】
2008052918.tif 000015
【図１４】
2008052918.tif 000016
【図１５】
2008052918.tif 000017
【図１６】
2008052918.tif 000018
【図１７】
2008052918.tif 000019
【図１８】
2008052918.tif 000020
【図１９】
2008052918.tif 000021
【図２０】
2008052918.tif 000022
【図２１】
2008052918.tif 000023
【図２２】
2008052918.tif 000024
【図２３】
2008052918.tif 000025
【図２４】
2008052918.tif 000026
【図２５】
2008052918.tif 000027
【図２６】
2008052918.tif 000028
【図２７】
2008052918.tif 000029
【図２８】
2008052918.tif 000030
【図２９】
2008052918.tif 000031